(57)【要約】【課題】簡単な構成で、信号線用開口周縁の強度を向上させると共に、信号線用開口を通過する信号線が損傷しないようにする。【解決手段】表示部側キャビネット３に、信号線としてのタッチパネル用フレキシブル基板２ｄ及び液晶用フレキシブル基板２ｅが折り曲げられてメイン基板ユニット側へ延びる先端が通過する信号線用開口３ｃを設ける。補強用板金３ａの信号線用開口３ｃ周縁に背面側へ折り曲げられた充填用凹部３ｄを形成し、インサート成形時に充填用凹部３ｄに充填された樹脂材料３ｂによって覆う。補強用板金３ａの正面と充填用凹部３ｄに充填した樹脂材料３ｂの正面とを連続させる。【選択図】図１
2015149610.tif 000002
【特許請求の範囲】
【請求項１】
表示部を有する携帯端末において、
上記表示部の背面側に配置される補強用板金がインサート成形された表示部キャビネットと、
上記表示部から背面側へ延びる信号線と、
上記補強用板金の背面側に設けられたメイン基板と、
上記表示部キャビネットに形成され、上記信号線が折り曲げられて上記メイン基板側へ延びる先端が通過する信号線用開口とを備え、
上記補強用板金の上記信号線用開口周縁は、背面側へ折り曲げられて充填用凹部が形成され、インサート成形時に該充填用凹部に充填された樹脂材料によって覆われ、上記補強用板金の正面と上記充填用凹部に充填した樹脂材料の正面とが連続している
ことを特徴とする携帯端末。
【請求項２】
請求項１に記載の携帯端末において、
上記信号線用開口の周縁は、上記樹脂材料で曲面状に覆われている
ことを特徴とする携帯端末。
【請求項３】
請求項１又は２に記載の携帯端末において、
充電池を備え、該充電池の側面は、側面から見たときに上記充填用凹部の側壁と一部が重なっている
ことを特徴とする携帯端末。
【発明の詳細な説明】
【技術分野】
【０００１】
本発明は、液晶ディスプレイなどの表示部を有する携帯端末に関するものである。
【背景技術】
【０００２】
従来より、図７に示すように、液晶ディスプレイなどの表示部１０２を収容する表示部キャビネット１０３を補強フレーム１０３ａで補強した携帯端末１０１は知られている。この補強フレーム１０３ａにより、背面側のメイン基板１０７や充電池１０６と表示部１０２とを仕切って表示部１０２を保護するようにしている。表示部１０２のにじみ模様を防ぐには、補強フレーム１０３ａの表面は平坦であるのが望ましい。そして、近年の携帯電話機などの携帯端末１０１の薄型化の要望により、補強フレーム１０３ａはステンレス鋼板等の板金で成形されることが知られている。図７に示すように、表示部１０２から延びる信号線であるフレキシブル基板１０２ｄ，１０２ｅを折り返して信号線用開口１０３ｃを通してメイン基板１０７に接続する必要がある。
【０００３】
板金部の強度を向上させるものとしては、例えば、特許文献１のように、外面側から内面側に凹んで電子部品に当接又は近接する凹部を形成し、この凹部に樹脂部材を充填し、外面が略平面状に構成されるシールドケースが知られていている。
【先行技術文献】
【特許文献】
【０００４】
【特許文献１】特開２０１０−２５８８２１号公報
【発明の概要】
【発明が解決しようとする課題】
【０００５】
しかしながら、図７に示すように、従来の携帯端末１０１では、補強フレーム１０３ａである板金で信号線用開口１０３ｃの周縁を形成しているので、フレキシブル基板１０２ｄ，１０２ｅが接触して損傷するおそれがある。このため、板金のエッジにフレキシブル基板１０２ｄ，１０２ｅが接触しないように、信号線用開口１０３ｃを大きくせざるを得ない。そうすると、信号線用開口１０３ｃの周縁で強度が落ち、補強フレーム１０３ａによる表示部１０２の保護効果が低減する。特に信号線用開口１０３ｃの角部で応力が集中しやすい。また、板金のとがったエッジをシートで覆う等の特別な対策を設ければ、部品点数及び貼付工程が増えてしまう。また、厚さが薄い板金部分でフレキシブル基板１０２ｄ，１０２ｅを急激に折り曲げなければならず、フレキシブル基板１０２ｄ，１０２ｅの破損等の不具合につながるおそれがある。
【０００６】
一方、特許文献１のものは、単に凹部に樹脂を充填してシールドケースの強度を向上させているだけで、信号線の損傷を防ぐことはできない。
【０００７】
本発明は、かかる点に鑑みてなされたものであり、その目的とするところは、簡単な構成で、信号線用開口周縁の強度を向上させると共に、信号線用開口を通過する信号線が損傷しないようにすることにある。
【課題を解決するための手段】
【０００８】
上記の目的を達成するために、この発明では、補強用板金の信号線用開口の周縁に充填用凹部を設け、この充填用凹部を樹脂材料で正面側が平らになるように覆うようにした。
【０００９】
具体的には、本発明では、表示部を有する携帯端末を前提とし、
上記携帯端末は、
上記表示部の背面側に配置される補強用板金がインサート成形された表示部キャビネットと、
上記表示部から背面側へ延びる信号線と、
上記補強用板金の背面側に設けられたメイン基板と、
上記表示部キャビネットに形成され、上記信号線が折り曲げられて上記メイン基板側へ延びる先端が通過する信号線用開口とを備えており、
上記補強用板金の上記信号線用開口周縁は、背面側へ折り曲げられて充填用凹部が形成され、インサート成形時に該充填用凹部に充填された樹脂材料によって覆われ、上記補強用板金の正面と上記充填用凹部に充填した樹脂材料の正面とが連続している。
【００１０】
上記の構成によると、補強用板金の信号線用開口周縁を充填用凹部に充填した樹脂材料によって覆っているので、信号線用開口周縁の厚さを保って強度が向上する。補強用板金の正面と充填用凹部に充填した樹脂材料の正面とを連続させることにより、凹凸があることによる表示部への影響を防いでいる。信号線用開口周縁の厚さが厚くなることで、信号線の折り曲げを小さな曲げ半径で行うことがなくなるので、信号線用開口を必要以上に大きくすることがない。また、信号線は、直接に補強用板金の端面に接触しないので、痛みにくい。
【発明の効果】
【００１１】
以上説明したように、本発明によれば、補強用板金の信号線用開口周縁に、背面側へ折り曲げて充填用凹部を形成してインサート成形時に充填した樹脂材料によって覆い、補強用板金の正面と充填用凹部に充填した樹脂材料の正面とを連続させるようにしたことにより、簡単な構成で、信号線用開口周縁の強度を向上させると共に、信号線用開口を通過する信号線が損傷しないようにすることができる。
【図面の簡単な説明】
【００１２】
【図１】図２（ａ）のＩ−Ｉ線拡大断面図である。
【図２】（ａ）が本発明の実施形態１に係る携帯電話機を示す正面図で、（ｂ）が表示部側キャビネットを示す正面図である。
【図３】携帯電話機を示す分解斜視図である。
【図４】正面側キャビネットにおける信号線用開口及びその周辺を拡大して示す斜視図である。
【図５】本発明の実施形態２に係る図１相当図である。
【図６】本発明の実施形態３に係る図１相当図である。
【図７】従来技術に係る図１相当図である。
【発明を実施するための形態】
【００１３】
以下、本発明の実施形態を図面に基づいて説明する。
【００１４】
（実施形態１）
図１〜図３は本発明の実施形態１の携帯端末としての携帯電話機１を示し、この携帯電話機１は、例えばタッチパネル及び液晶ディスプレイを含む表示部２を収容する表示部側キャビネット３と、この表示部側キャビネット３の背面に結合される背面側キャビネット４と、この背面側キャビネット４を背面から覆うリアカバー５とを備えている。表示部２は、カバーガラス２ａ（本実施形態ではタッチパネルを含むが、別体でもよい）、液晶ユニット２ｃとを有し、タッチパネルからタッチパネル用フレキシブル基板２ｄが延び、液晶ユニット２ｃから液晶用フレキシブル基板２ｅが延びている。
【００１５】
表示部側キャビネット３と背面側キャビネット４との間の収容空間には、例えば、矩形板状の充電池６と、メイン基板ユニット７とが収容されている。表示部２の裏側には、液晶のにじみ模様（プーリング）を防止するクッションシート８が貼り付けられているが、このクッションシート８は、なくてもよい。タッチパネル用フレキシブル基板２ｄ及び液晶用フレキシブル基板２ｅは、表示部２とメイン基板ユニット７とを電気的に接続する信号線の役割を果たす。メイン基板ユニット７は、例えばメイン基板７ａと、その下側に離れて配置されたサブ基板７ｂとを含む。
【００１６】
本実施形態では、表示部側キャビネット３における表示部２の背面側に配置される矩形板状の補強用板金３ａが矩形枠状の樹脂材料３ｂと共にインサート成形されている。図２（ｂ）に示すように、補強用板金３ａは、例えば矩形板状のステンレス薄板をプレスにより抜き及び折り曲げ絞り加工した構造よりなる。  
【００１７】
そして、図４に示すように、表示部側キャビネット３の下側中央には、例えば正面視矩形状の信号線用開口３ｃが形成されている。この信号線用開口３ｃには、フレキシブル基板２ｄ及び液晶用フレキシブル基板２ｅが折り曲げられ、メイン基板ユニット７側へ延びる先端側が通過している。
【００１８】
図１に拡大して示すように、補強用板金３ａにおける信号線用開口３ｃ周縁は、背面側へ折り曲げられて充填用凹部３ｄが形成されている（図２（ｂ）のハッチングの領域）。この充填用凹部３ｄは、例えば図２（ｂ）に示す信号線用開口３ｃの水平線及び左右の垂直線の３辺を外側から覆うように連続して形成されている。特に角部での応力集中を防ぐには、少なくとも充填用凹部３ｄは、角部及びその周辺で連続しているのが望ましい。この充填用凹部３ｄの正面側には、表示部側キャビネット３のインサート成形時に樹脂材料３ｂが充填される。この充填用凹部３ｄに充填した樹脂材料３ｂの正面と補強用板金３ａの正面とは、ほぼ同じ高さに連続している。両者の境界線における高さの差は、表示部２に力が加わったときに液晶ににじみ模様ができない程度の微々たるものであるのが望ましい。
【００１９】
そして、図１に示すように、信号線用開口３ｃの周縁は、インサート成形時に樹脂材料３ｂで曲面状に覆われ、非常に丸みをもった形状となっている。そして、充電池６の側面は、側面（図１の右側）から見たときに充填用凹部３ｄの側壁と一部が重なっている。言い換えれば、背面から見たときに充電池６の下側に充填用凹部３ｄが重ならないように配置されている。
【００２０】
以上説明したように、補強用板金３ａの信号線用開口３ｃ周縁を充填用凹部３ｄに充填した樹脂材料３ｂによって覆っているので、信号線用開口３ｃ周縁の厚さを保って強度を向上させることができる。このため、表示部２の割れ等携帯電話機１の信頼性への悪影響を減らすことができる。
【００２１】
また、補強用板金３ａの正面と充填用凹部３ｄに充填した樹脂材料３ｂの正面とを連続させることにより、凹凸があることによる、にじみ模様などの表示部２への影響を防いでいる。
【００２２】
信号線用開口３ｃ周縁の厚さが厚くなることで、タッチパネル用フレキシブル基板２ｄ及び液晶用フレキシブル基板２ｅの折り曲げを小さな曲げ半径で行うことがなくなるので、信号線用開口３ｃを必要以上に大きくすることがなく、強度の低下を効果的に避けられる。
【００２３】
また、タッチパネル用フレキシブル基板２ｄ及び液晶用フレキシブル基板２ｅは、直接に補強用板金３ａの端面に接触しないので、痛みにくい。しかも、信号線用開口３ｃの周縁を樹脂材料３ｂで曲面状に覆ったことにより、タッチパネル用フレキシブル基板２ｄ及び液晶用フレキシブル基板２ｅの損傷を更に効果的に防ぐことができる。
【００２４】
また、他の部品に比べて厚い充電池６と、樹脂材料３ｂにより厚くなった充填用凹部３ｄとを正面から見て重ならないように配置することにより、携帯電話機１全体の厚さを薄くすることができる。
【００２５】
したがって、本実施形態に係る携帯電話機１によると、簡単な構成で、信号線用開口３ｃ周縁の強度を向上させると共に、信号線用開口３ｃを通過するタッチパネル用フレキシブル基板２ｄ及び液晶用フレキシブル基板２ｅが損傷しないようにすることができる。
【００２６】
（実施形態２）
図５は本発明の実施形態２を示し、充填用凹部３ｄ’の形成位置が異なる点で上記実施形態と異なる。なお、以下の各実施形態では、図１〜図４と同じ部分については同じ符号を付してその詳細な説明は省略する。
【００２７】
具体的には、本実施形態では、図５に示すように、充填用凹部３ｄ’が信号線用開口３ｃ側に開放されているのではなく、信号線用開口３ｃの近傍で正面側に再び湾曲している。すなわち、正面から見たときに充填用凹部３ｄ’が信号線用開口３ｃから少し距離を空けて連続して形成されている。補強用板金３ａ’の信号線用開口３ｃ側の端部は、正面側に露出している。しかし、信号線用開口３ｃの端部は、樹脂材料３ｂで覆われていることが必要である。
【００２８】
このように構成しても、上記実施形態と同様に、簡単な構成で、信号線用開口３ｃ周縁の強度を向上させると共に、信号線用開口３ｃを通過するタッチパネル用フレキシブル基板２ｄ及び液晶用フレキシブル基板２ｅが損傷しないようにすることができる。
【００２９】
（実施形態３）
図６は本発明の実施形態３を示し、補強用板金３ａ’’における信号線用開口３ｃの形状が異なる点で上記実施形態と異なる。
【００３０】
すなわち、本実施形態では、信号線用開口３ｃは、下側も補強用板金３ａ’’で覆われており、補強用板金３ａ’’に切欠ではなく、矩形状の開口が形成されている。
【００３１】
この場合、信号線用開口３ｃのほぼ全周（四辺）に補強用板金３ａ’’の端部があるが、いずれの端部も樹脂材料３ｂで覆われており、タッチパネル用フレキシブル基板２ｄ及び液晶用フレキシブル基板２ｅには接触しない。
【００３２】
そして下辺以外の補強用板金３ａ’’の端部において充填用凹部３ｄが形成され、この充填用凹部３ｄに樹脂材料３ｂが充填されている。
【００３３】
本実施形態においても、簡単な構成で、信号線用開口３ｃ周縁の強度を向上させると共に、信号線用開口３ｃを通過するタッチパネル用フレキシブル基板２ｄ及び液晶用フレキシブル基板２ｅが損傷しないようにすることができる。
【００３４】
（その他の実施形態）
本発明は、上記実施形態について、以下のような構成としてもよい。
【００３５】
すなわち、上記実施形態では、信号線用開口３ｃは、正面視で矩形状としているが、半長円形、半楕円形、半円形状など他の形状でもよい。
【００３６】
上記実施形態では、携帯端末は、携帯電話機１としたが、タブレット端末、ＰＨＳ（Personal Handy-phone System ）、ＰＤＡ(Personal DigitalAssistant)、パソコン、モバイルツール、電子辞書、電卓、ゲーム機等であってもよい。
【００３７】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３８】
１      携帯電話機（携帯端末）
２      表示部
２ａ    カバーガラス
２ｃ    液晶ユニット
２ｄ    タッチパネル用フレキシブル基板（信号線）
２ｅ    液晶用フレキシブル基板（信号線）
３      表示部側キャビネット
３ａ，３ａ’，３ａ’’    補強用板金
３ｂ    樹脂材料
３ｃ    信号線用開口
３ｄ，３ｄ’    充填用凹部
４      背面側キャビネット
５      リアカバー
６      充電池
７      メイン基板ユニット
８      クッションシート
【図１】
2015149610.tif 000003
【図２】
2015149610.tif 000004
【図３】
2015149610.tif 000005
【図４】
2015149610.tif 000006
【図５】
2015149610.tif 000007
【図６】
2015149610.tif 000008
【図７】
2015149610.tif 000009